(57)【要約】【課題】カバーが邪魔にならずにソケットへの配線を容易に行うことができる照明器具を提供することである。【解決手段】ソケットはランプ本体の接続ピンと掛合する接続口を有し、接続ピンを接続口に掛合させてランプ本体を着脱自在に取り付ける。ソケットを取り付るための灯体からソケットの接続口に電源を供給する電線が引き出される。カバーはソケットと灯体との間に挟まれて灯体に固定される。カバーに形成された貫通路は、電線がソケットの接続口に配線された状態でソケットをカバーの内側に貫通させる。【選択図】  図１
2012064445.tif 000002
【特許請求の範囲】
【請求項１】
ランプ本体の接続ピンと掛合する接続口を有し前記ランプ本体を着脱自在に取り付けるソケットと、
前記ソケットの前記接続口に電源を供給する電線が引き出され前記ソケットを取り付るための灯体と、
前記ソケットと前記灯体との間に挟まれて前記灯体に固定されるカバーと、
前記カバーに形成され、前記電線が前記ソケットの前記接続口に配線された状態で前記ソケットを前記カバーの内側に貫通させるための貫通路と、
を備えたことを特徴とする照明器具。
【請求項２】
前記貫通路は、前記ソケットが前記カバーを挟んで前記灯体に取り付けられたときに、前記ソケットの前記接続口と平行な位置に形成されたことを特徴とする請求項１記載の照明器具。
【請求項３】
前記貫通路は、前記ソケットが前記カバーを挟んで前記灯体に取り付けられたときに、前記ソケットの切欠部と重なる位置に形成されたことを特徴とする請求項１記載の照明器具。
【発明の詳細な説明】
【技術分野】
【０００１】
本発明の実施形態は、ＩＥＣ（国際電気標準会議）で規格化されたＧＸ５３型口金を用いたランプを備えた照明器具に関する。
【背景技術】
【０００２】
薄型のランプとして、口金にＩＥＣ規格のＧＸ５３型口金を使用したランプ（以下、ＧＸ５３型ランプという）が開発されている。このＧＸ５３型ランプは、光源として蛍光ランプやＬＥＤを用いて薄型に形成され、全体として薄型となっている。
【０００３】
このＧＸ５３ランプは、天井面または壁面に直付けする場合には、照明器具本体の灯体を天井面または壁面に取り付け、ソケットをネジ止めによって照明器具本体の灯体に取り付け、このソケットの接続口にＧＸ５３ランプの接続ピンを掛合して設置する。
【０００４】
また、ライティングレールに照明器具本体が取り付けられる場合には、天井面または壁面にライティングレールを付設し、ライティングレールに照明器具本体を摺動可能に取り付け、照明器具本体の灯体にソケットをネジ止めによって取り付け、このソケットの接続口にＧＸ５３ランプの接続ピンを掛合して設置する。また、ＧＸ５３型ランプのカバーをソケットとともに取り付ける場合もある。
【先行技術文献】
【特許文献】
【０００５】
【特許文献１】特開２００８−５３０５８号公報
【発明の概要】
【発明が解決しようとする課題】
【０００６】
しかし、ＧＸ５３型ランプのカバーをソケットとともに照明器具本体の灯体に取り付ける場合、灯体とソケットとの間にカバーを挟み込んで、カバーとソケットとを灯体に取り付けることになるので、ソケットをカバーの内側に位置させて灯体からの電線をソケットに配線しなければならない。従って、配線作業中にはカバーが邪魔になり、特に、カバーの奥行きが長い場合には配線作業が難しくなる。また、カバーの手前側で配線作業をする場合には、電線をカバーの手前側まで長く引き出さなければならず、配線後にソケットを灯体に取り付ける場合にはその電線を灯体内に戻さなければならない。
【０００７】
本発明の実施形態は、カバーが邪魔にならずにソケットへの配線を容易に行うことができる照明器具を提供することである。
【課題を解決するための手段】
【０００８】
本発明の実施形態によれば、ソケットはランプ本体の接続ピンと掛合する接続口を有し、接続ピンを接続口に掛合させてランプ本体を着脱自在に取り付ける。ソケットを取り付るための灯体からソケットの接続口に電源を供給する電線が引き出される。カバーはソケットと灯体との間に挟まれて灯体に固定される。カバーに形成された貫通路は、電線がソケットの接続口に配線された状態でソケットをカバーの内側に貫通させる。
【発明の効果】
【０００９】
カバーに貫通路を形成したので、電線がソケットの接続口に配線された状態でソケットをカバーの内側に貫通させることができ、カバーが邪魔にならずにソケットへの配線を容易に行うことができる。
【図面の簡単な説明】
【００１０】
【図１】本発明の実施形態に係る照明器具の説明図。
【図２】本発明の実施形態における灯体の説明図。
【図３】本発明の実施形態におけるソケットの平面図。
【図４】本発明の実施形態におけるカバーの説明図。
【図５】本発明の実施形態に係る照明器具の組立の一例の説明図。
【発明を実施するための形態】
【００１１】
以下、本発明の実施形態を説明する。図１は本発明の実施形態に係る照明器具の説明図であり、図１（ａ）は正面図、図１（ｂ）は下方から見た斜視図である。図１（ａ）に示すように、灯体１１にはカバー１２が取り付けられている。灯体１１は、プラグ１３から支柱１４及び自在器１５を介して電線が引き込まれている。プラグ１３は、天井面または壁面に付設された図示省略のライティングレールに摺動可能に取り付けられ、自在器１５は支柱１４に灯体１１を揺動可能に取り付けるものであり、これにより、灯体１１の向きを一定の範囲で変化させることができるようになっている。
【００１２】
図１（ｂ）に示すように、灯体１１にはカバー１２とともにソケット１６がネジ１７で取り付けられている。カバー１２は、ソケット１６と灯体１１との間に挟まれて、ネジ１７でソケット１６とともに灯体１１に固定される。ソケット１６は、図示省略のランプ本体の接続ピンと掛合する接続口１８を有し、ランプ本体の接続ピンがソケット１６の接続口１８に掛合されて、ランプ本体を着脱自在にソケット１６に取り付ける。ソケット１６の接続口１８には、プラグ１３から支柱１４及び自在器１５を介して電源を供給するための電線が接続されている。
【００１３】
また、カバー１２には貫通路１９が形成されている。貫通路１９は、電線がソケット１６の接続口１８に配線された状態で、ソケット１６をカバー１２の内側に貫通させるものである。
【００１４】
図２は、灯体１１の説明図であり、図２（ａ）は正面図、図２（ｂ）は図２（ａ）のＸ１方向から見た図である。図２（ａ）及び図２（ｂ）に示すように、灯体１１の天井部の内側には、ソケット１６を取り付けるためのネジ１７と螺合する雌ネジ穴２１が設けられ、また、プラグ１３から支柱１４及び自在器１５を介して電線２０が灯体１１の内側に引き込まれる。この電線２０はソケット１６の接続口１８に配線される。
【００１５】
図３はソケット１６の平面図である。ソケット１６には、ソケット１６を灯体１１に取り付けるためのネジ１７を貫通させる貫通孔２２が設けられ、また、切欠部２３が設けられている。ソケット１６の切欠部２３は、自在器１５が灯体１１に接続されるときに、自在器１５の先端部がソケット１６に当接しないようにするために設けられている。切欠部２３が左右一対で設けられているのは、自在器１５が灯体１１に左右のいずれからでも取り付けられるようにするためである。
【００１６】
そして、自在器１５が取り付けられた切欠部２３の部分から電線２０はそれぞれの接続口１８に接続される。接続口１８は、図示省略のランプ本体の接続ピンと掛合し、ランプ本体を機械的に保持するとともに電気的に接続する。これにより、ランプ本体はソケット１６に着脱自在に取り付けられる。
【００１７】
図４はカバー１２の説明図であり、図４（ａ）は斜視図、図４（ｂ）は図４（ａ）のＸ２方向から見た図である。カバー１２は、図４（ａ）に示すように円筒状に形成され、図４（ｂ）に示すように、上部には天井部が形成されている。天井部には、カバー１２を灯体１１に取り付けるためのネジ１７を貫通させる貫通孔２４が設けられ、また、カバー１２には貫通路１９が形成されている。貫通路１９は、ソケット１６をカバー１２の内側に貫通させるものであり、図３に示すように、電線２０がソケット１６の接続口１８に配線された状態で、ソケット１６をカバー１２の内側に貫通させるものである。また、貫通路１９は灯体１１内の温度上昇を抑制する作用も有する。
【００１８】
図５は本発明の実施形態に係る照明器具の組立の一例の説明図であり、図５（ａ）はソケット１６への配線の説明図、図５（ｂ）は配線が完了したソケット１６をカバー１２の内側に貫通させている状態を示す斜視図である。
【００１９】
図５（ａ）に示すように、プラグ１３から支柱１４及び自在器１５を介して灯体１１内に電線２０が引き出される。灯体１１内に引き出された電線２０は、ソケット１６のそれぞれの接続口１８に接続される。
【００２０】
このようにして、電線が２０が接続された状態のソケット１６をカバー１２の貫通路１９を通し、図５（ｂ）に示すように、カバー１２の内側に貫通させる。そして、カバー１２をソケット１６と灯体１１との間に挟み、ソケット１６の貫通孔２２及びカバー１２の貫通孔２４にネジ１７を通し、灯体１１の雌ネジ穴２１にネジ止めする。これにより、カバー１２は、ソケット１６とともに灯体１１に固定される。
【００２１】
ここで、カバー１２の貫通路１９は、ソケット１６がカバー１２を挟んで灯体１１に取り付けられたときに、ソケット１６の接続口１８と平行な位置に形成されている。これは、灯体１１内に引き出された電線２０がソケット１６の２個の接続口１８に接続された状態で、ソケット１６をカバー１２の貫通路１９を貫通させる場合に、２個の接続口１８に接続された電線２０の長さをほぼ同じ長さとするためである。これにより、電線２０が接続されたソケット１６をカバー１２の内側に容易に貫通させることができるようにしている。
【００２２】
また、貫通路１９は、ソケット１６がカバー１２を挟んで灯体１１に取り付けられたときに、ソケット１６の切欠部２３と重なる位置に形成されている。これは、灯体１１を天井面や側面に直付けする際に、直付け用取付ネジの取付箇所を確保するためである。これにより、切欠部２３及び貫通路１９を通して直付け用取付ネジを灯体１１にねじ込んで灯体１１を天井面や側面に取り付けることになる。
【００２３】
このように、カバー１２の天井面に、結線済みのソケット１６が貫通するための貫通路１９を設けたので、灯体１１にカバー１２及びソケット１６を取り付ける際には、ソケット１６の配線を行ってからカバー１２の内側にソケット１６を位置することができる。従って、ソケット１６への配線作業をカバー１２の内側において行う必要がなくなり、ソケット１６への配線が容易に行え、しかもカバー１２を容易に灯体１１に取り付けることができる。
【００２４】
一方、灯体１１からカバー１２及びソケット１６を取り外す際には、ソケット１６を取り外し、ソケット１６を貫通路１９にて灯体１１側に貫通させることにより、カバー１２を取り外すことができ、容易にカバー１２の着脱が行える。従って、カバー１２の破損時の交換が可能であり、また、カバー１２を取り外しても灯体１１に直接ソケット１６を取り付けることができるので、光源露出タイプとして使用可能である。
【００２５】
以上述べた実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１１…灯体、１２…カバー、１３…プラグ、１４…支柱、１５…自在器、１６…ソケット、１７…ネジ、１８…接続口、１９…貫通路、２０…電線、２１…雌ネジ穴、２２…貫通孔、２３…切欠部、２４…貫通孔
【図１】
2012064445.tif 000003
【図２】
2012064445.tif 000004
【図３】
2012064445.tif 000005
【図４】
2012064445.tif 000006
【図５】
2012064445.tif 000007